【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
コンテンツサーバからコンテンツプレーヤにデジタルコンテンツタイトルを適応的にダウンロードするための方法であって、
前記コンテンツサーバに格納された複数のコード化済みシーケンスに含まれる第１のコード化済みシーケンスから少なくとも１単位の前記デジタルコンテンツタイトルを、前記コンテンツプレーヤ内のコンテンツバッファにダウンロードするステップであり、各コード化済みシーケンスが、異なるビットレートでコード化された前記デジタルコンテンツタイトルを含み、前記コンテンツプレーヤでそれぞれ再生可能となっており、前記第１のコード化済みシーケンスが、１単位又は複数単位の前記デジタルコンテンツタイトルがコード化され前記コンテンツサーバに格納された第１のビットレートに対応する、ステップと、
１単位又は複数単位の前記デジタルコンテンツタイトルを、依然として再生のためにダウンロードし、バッファに入れなければならないことを決定するステップと、
次の単位の前記デジタルコンテンツタイトルをダウンロードするための前記複数のコード化済みシーケンスに含まれる次のコード化済みシーケンスを決定するステップと、
前記次の単位の前記デジタルコンテンツタイトルを、再生のために、前記次のコード化済みシーケンスから前記コンテンツバッファにダウンロードするステップと
を含む方法。
【請求項２】
前記次のコード化済みシーケンスが前記第１のコード化済みシーケンスを備える請求項１に記載の方法。
【請求項３】
前記次のコード化済みシーケンスが、前記複数のコード化済みシーケンスに含まれる第２のコード化済みシーケンスを備え、前記第２のコード化済みシーケンスが、１単位又は複数単位の前記デジタルコンテンツタイトルがコード化され前記コンテンツサーバに格納された第２のビットレートに対応し、前記第２のビットレートが前記第１のビットレートより大きい請求項１に記載の方法。
【請求項４】
前記次のコード化済みシーケンスを決定する前記ステップが、再生のために前記コンテンツサーバからまだダウンロードされていない前記デジタルコンテンツタイトルの全単位は、前記第２のコード化済みシーケンスから少なくとも一部分ダウンロードすることができ、バッファアンダーランが生じることなく、再生のために前記コンテンツバッファからアクセスすることができることを決定するステップを含む請求項３に記載の方法。
【請求項５】
別の単位の前記デジタルコンテンツタイトルをダウンロードするための前記複数のコード化済みシーケンスに含まれる第３のコード化済みシーケンスを決定するステップをさらに含み、前記第３のコード化済みシーケンスが、１単位又は複数単位の前記デジタルコンテンツタイトルがコード化され前記コンテンツサーバに格納された第３のビットレートに対応し、前記第３のビットレートが前記第１のビットレートより大きく、しかし前記第２のビットレート未満である請求項４に記載の方法。
【請求項６】
前記第３のコード化済みシーケンスから前記コンテンツバッファに前記別の単位の前記デジタルコンテンツタイトルをダウンロードするステップをさらに含む請求項５に記載の方法。
【請求項７】
前記第３のコード化済みシーケンスを決定する前記ステップが、再生のために前記コンテンツバッファからまだダウンロードされていない前記デジタルコンテンツタイトルの全単位は、前記第３のコード化済みシーケンスから少なくとも一部分ダウンロードすることができ、バッファアンダーランが生じることなく、再生のために前記コンテンツバッファからアクセスすることができることを決定するステップを含む請求項５に記載の方法。
【請求項８】
前記第２のコード化済みシーケンスと関連した前記単位のデジタルコンテンツタイトルの品質が前記第３のコード済みシーケンスと関連した前記単位の前記デジタルコンテンツタイトルの品質より高い請求項５に記載の方法。
【請求項９】
前記デジタルコンテンツタイトルが、動画又はテレビ番組を含む請求項１に記載の方法。
【請求項１０】
処理ユニットによって実行されると、
コンテンツサーバに格納された複数のコード化済みシーケンスに含まれる第１のコード化済みシーケンスから少なくとも１単位のデジタルコンテンツタイトルを、コンテンツプレーヤ内のコンテンツバッファにダウンロードするステップであり、各コード化済みシーケンスが、異なるビットレートでコード化された前記デジタルコンテンツタイトルを含み、前記コンテンツプレーヤでそれぞれ再生可能となっており、前記第１のコード化済みシーケンスが、１単位又は複数単位の前記デジタルコンテンツタイトルがコード化され前記コンテンツサーバに格納された第１のビットレートに対応する、ステップと、
１単位又は複数単位の前記テジタルコンテンツタイトルを、依然として再生のためにダウンロードし、バッファに入れなければならないことを決定するステップと、
次の単位の前記デジタルコンテンツタイトルをダウンロードするための前記複数のコード化済みシーケンスに含まれる次のコード化済みシーケンスを決定するステップと、
前記次の単位の前記デジタルコンテンツタイトルを、再生のために、前記次のコード化済みシーケンスから前記コンテンツバッファにダウンロードするステップと
を実行することによって、前記処理ユニットに、コンテンツサーバからコンテンツプレーヤにデジタルコンテンツタイトルを適応的にダウンロードさせる命令を含む一時的でないコンピュータ可読媒体。
【請求項１１】
前記次のコード化済みシーケンスが前記第１のコード化済みシーケンスを備える請求項１０に記載のコンピュータ可読媒体。
【請求項１２】
前記次のコード化済みシーケンスが、前記複数のコード化済みシーケンスに含まれる第２のコード化済みシーケンスを備え、前記第２のコード化済みシーケンスが、１単位又は複数単位の前記デジタルコンテンツタイトルがコード化され前記コンテンツサーバに格納された第２のビットレートに対応し、前記第２のビットレートが前記第１のビットレートより大きい請求項１０に記載のコンピュータ可読媒体。
【請求項１３】
前記次のコード化済みシーケンスを決定する前記ステップが、再生のために前記コンテンツサーバからまだダウンロードされていない前記デジタルコンテンツタイトルの全単位は、前記第２のコード化済みシーケンスから少なくとも一部分ダウンロードすることができ、バッファアンダーランが生じることなく、再生のために前記コンテンツバッファからアクセスすることができることを決定するステップを含む請求項１２に記載のコンピュータ可読媒体。
【請求項１４】
別の単位の前記デジタルコンテンツタイトルをダウンロードするための前記複数のコード化済みシーケンスに含まれる第３のコード化済みシーケンスを決定するステップをさらに含み、前記第３のコード化済みシーケンスが、１単位又は複数単位の前記デジタルコンテンツタイトルがコード化され前記コンテンツサーバに格納された第３のビットレートに対応し、前記第３のビットレートが前記第１のビットレートより大きく、しかし前記第２のビットレート未満である請求項１３に記載のコンピュータ可読媒体。
【請求項１５】
前記第３のコード化済みシーケンスから前記コンテンツバッファに前記別の単位の前記デジタルコンテンツタイトルをダウンロードするステップをさらに含む請求項１４に記載のコンピュータ可読媒体。
【請求項１６】
前記第３のコード化済みシーケンスを決定する前記ステップが、再生のために前記コンテンツバッファからまだダウンロードされていない前記デジタルコンテンツタイトルの全単位は、前記第３のコード化済みシーケンスから少なくとも一部分ダウンロードすることができ、バッファアンダーランが生じることなく、再生のために前記コンテンツバッファからアクセスすることができることを決定するステップを含む請求項１４に記載のコンピュータ可読媒体。
【請求項１７】
前記第２のコード化済みシーケンスと関連した前記単位のデジタルコンテンツタイトルの品質が前記第３のコード済みシーケンスと関連した前記単位の前記デジタルコンテンツタイトルの品質より高い請求項１４に記載のコンピュータ可読媒体。
【請求項１８】
前記テジタルコンテンツタイトルが、動画又はテレビ番組を含む請求項１０に記載のコンピュータ可読媒体。
【請求項１９】
ダウンロードされたデジタルコンテンツを格納するためのコンテンツバッファを含むメモリと、
コンテンツサーバに格納された複数のコード化済みシーケンスに含まれる第１のコード化済みシーケンスから少なくとも１単位のデジタルコンテンツタイトルを、コンテンツプレーヤ内のコンテンツバッファにダウンロードし、各コード化済みシーケンスが、異なるビットレートでコード化された前記テジタルコンテンツタイトルを含み、前記コンテンツプレーヤでそれぞれ再生可能となっており、前記第１のコード化済みシーケンスが、１単位又は複数単位のデジタルコンテンツタイトルがコード化され前記コンテンツサーバに格納された第１のビットレートに対応するステップと、
１単位又は複数単位の前記デジタルコンテンツタイトルを、依然として再生のためにダウンロードし、バッファに入れなければならないことを決定し、
次の単位の前記デジタルコンテンツタイトルをダウンロードするための前記複数のコード化済みシーケンスに含まれる次のコード化済みシーケンスを決定し、
前記次の単位の前記デジタルコンテンツタイトルを、再生のために、前記次のコード化済みシーケンスから前記コンテンツバッファにダウンロードする
ように構成された、メモリに結合された処理ユニットと
を備える、コンテンツサーバからコンテンツプレーヤにデジタルコンテンツのファイルを適応的にダウンロードするように構成されたコンテンツプレーヤデバイス。
【請求項２０】
前記第１のビットレートは、１単位又は複数単位のデジタルコンテンツタイトルがコード化され前記コンテンツサーバに格納された最低のビットレートを含む請求項１に記載の方法。
【請求項２１】
前記複数のコード化済みシーケンスにおける各コード化済みシーケンスは、異なるビットレートでコード化された全ての前記デジタルコンテンツタイトルを含む請求項１に記載の方法。